【事件の表示】
　特許第３２１７２９５号「折り畳み農作業機のカバー継目構造」の請求項１に係る特許に対する特許異議の申立てについて、次のとおり決定する。
【結　論】
　訂正を認める。
　特許第３２１７２９５号の請求項１に係る特許を取り消す。
【理　由】
１．手続きの経緯
　本件特許第３２１７２９５号の請求項１に係る発明についての出願は、平成９年５月７日に特許出願され、平成１３年８月３日にその発明について特許権の設定登録がなされ、その後、本件請求項１に係る発明の特許に対し、平成１４年４月５日に松山株式会社より特許異議の申立てがなされ、取消の理由を通知したところ、その指定期間内である平成１４年９月２０日に訂正請求がなされたものである。
　
２．訂正の適否についての判断
２−１．訂正の内容
（１） 訂正事項ａ
　特許明細書の特許請求の範囲の【請求項１】（本件特許公報１頁１欄１２〜１４行）に記載された「上記中央部分のカバー端部と左右の作業機部分のカバーとが平面視でラップするように構成したこと」を、
　「上記中央部分のカバー端部と左右の作業機部分のカバーとが平面視でラップするように構成し
、上記中央部分の背面と上記左右の作業機部分の背面とを重ね合わせるようにして折り畳み可能とし
　
（２）訂正事項ｂ
　特許明細書の段落【０００５】の（本件特許公報２頁３欄３２〜３４行）に記載された「上記中央部分のカバー端部と左右の作業機部分のカバーとが平面視でラップするように構成したこと」を、
　「上記中央部分のカバー端部と左右の作業機部分のカバーとが平面視でラップするように構成し
、上記中央部分の背面と上記左右の作業機部分の背面とを重ね合わせるようにして折り畳み可能とし
　
２−２．訂正の目的の適否、新規事項の有無及び拡張・変更の存否
　上記訂正事項ａは、請求項１について、
　同請求項に係る発明を特定する事項として新たに「上記中央部分の背面と上記左右の作業機部分の背面とを重ね合わせるようにして折り畳み可能とした」という構成を付加するものであるから、特許請求の範囲の減縮を目的とした明細書の訂正に該当する。
　上記訂正事項ｂは、上記訂正事項ａと整合を図るものであるから、明りょうでない記載の釈明を目的とした明細書の訂正に該当する。
　
２−３．むすび
　以上のとおりであるから、上記訂正は、特許法１２０条の４第２項及び同条第３項において準用する特許法第１２６条第２項から第４項までの規定に適合するので、当該訂正を認める。
　
３．特許異議の申立てについての判断
３−１．本件発明
　上記２．で示したように上記訂正が認められるから、本件特許第３２１７２９４号の請求項１に係る発明（以下、「本件発明」という。）は、平成１４年９月２０日に提出された訂正請求書の特許請求の範囲の請求項１に記載された次のとおりのものである。
「【請求項１】　トラクタの後部に３点リンクヒッチ機構を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機において、
　上記農作業機を中央部分と左右の作業機部分とに３分割し、該中央部分の左右の端部と左右の作業機部分の内端部とをそれぞれ回転支点によりほぼ１８０°回転可能に連結すると共に、
　各作業部の上方をカバーで覆い、上記左右の作業機部分を作業状態に展開したとき、上記中央部分のカバー端部と左右の作業機部分のカバーとが平面視でラップするように構成し、上記中央部分の背面と上記左右の作業機部分の背面とを重ね合わせるようにして折り畳み可能としたことを特徴とする折り畳み農作業機のカバー継目構造。」
　
３−２．引用刊行物に記載された発明
（１）当審で通知した取消しの理由で引用した刊行物１（実公昭５３−５２８１０号公報（甲第１号証））には、次の事項が記載されている
(1-a).「機枠に対し取付けられた主ロータと、この主ロータを覆う主カバーを備え、前記主ロータならびに主カバー両端に延長ロータ並びに延長カバーを有して作業幅を拡大可能とした耕耘砕土装置において、延長カバーの内端は主カバー頂部に対してヒンジ結合されており、延長カバーの外端には主ロータとのボルト結合を解除し分離された不使用時の延長ロータの外端を支持する支持板がヒンジ結合されていて、不使用時に主ロータから分離された延長ロータの外端を前記支持板で支持し、かつ上記不使用時の延長ロータの内端側と延長カバーとを掛止して延長ロータを延長カバーと共に主カバー上に反転格納することを特徴とする耕耘砕土装置」（実用新案登録請求の範囲）
(1-b).「先ず、図において符号１で示すトラクタはトップリンク１１、ロアリンク１２によりロータリで代表する作業機２を連結するようになつており、リフトアームロツド１３を介して作業機２を吊り上げて方向転換や一般走行できるようになつている。そして、作業機２はトラクタ１のプロペラシヤフトから動力伝達を受けて回転する駆動軸２１を有し、この駆動軸２１からチエーン２２を介してロータの回転軸２３を駆動するようになつておりこの回転軸２３には主ロータ２４が装着されている。この主ロータ２４を覆うように主カバー２５が施され、この主カバー２５の後端には整土板２６が取付けられ、整土板２６には補助整土板２７が連結され本耕耘砕土装置が構成されている。そして、前記主ロータ２４には、軸方向両端に延延長ロータ３１が連結されて本耕耘装置の主ロータ２４に延長ロータ３１，３１の幅が加えられて供業幅が拡大される。この延長ロータ３１は、回転軸２３を延長した線を仮想上の回転中心としており、格納時には第２図に示すように延長ロータ３１を覆う延長カバー３２の外端面にヒンジ３２ａされている支持板３３を、延長ロータ３１の外側に鎖線で示すように回転位置させて、これに該ロータのフランジ３１ａを鎖線で示すようにボルト結合することによつて、その外端を延長カバー３２に支持するようになつている。」（２頁３欄３〜２９行）
(1-c).「前記延長カバー３２の内端は、前記主カバー２５の頂部に設けたヒンジ板３４に対しピン３４ａによつて枢支されており、このピン３４ａを含む平面内で延長カバー３２が回転できるようになつている。」（２頁３欄３８〜４２行）
(1-d).「次に、この考案による耕耘砕土装置の使用例を説明する。第２図では作業状態が示されており、トラクタからの伝達動力は駆動軸２１、チエーン２２回転軸２３を経由して主ロータ２４へと伝動される。」（２頁４欄１８〜２２行）
(1-e).「そして、延長ロータ３１を延長カバー３２を含む他の付属物と共にヒンジ板３４のピン３４ａを中心に第２図矢印のように回転させ、主カバー２５上に反転位置させる。これにより、耕耘砕土装装の全幅寸法は主ロータ２４の寸法に実質的に縮小されて路上走行が可能な形態となる。」（３頁５欄７〜１２行）
　これらの記載及び第１ないし４図によれば、刊行物１には以下の発明が記載されていると認められる。
「トラクタ１の後部にトップリンク１１及びロアリンク１２を介して作業機の主ロータ２４・主カバー２５、駆動軸２１・回転軸２３等からなる部分を吊り上げて方向転換や一般走行ができるように連結し、上記トラクタ１から作業機２の主ロータ２４・主カバー２５・駆動軸２１・回転軸２３等からなる部分に動力を伝達すると共に、上記主ロータ２４・主カバー２５・駆動軸２１・回転軸２３等からなる部分に対し、該主ロータ２４・主カバー２５・駆動軸２１・回転軸２３等からなる部分から軸方向両側に連結されている延長ロータ３１・延長カバー３２・支持板３３等からなる部分を、それぞれ主カバー２５上に反転格納することできるようになっている耕耘砕土装置において、
　上記耕耘砕土装置を主ロータ２４・主カバー２５・駆動軸２１・回転軸２３等からなる部分と軸方向両側に連結されている延長ロータ３１・延長カバー３２・支持板３３等からなる部分とに３分割し、該主ロータ２４・主カバー２５・駆動軸２１・回転軸２３等からなる部分の左右の端部と軸方向両側に連結されている延長ロータ３１・延長カバー３２・支持板３３等からなる部分の内端部とをそれぞれピン３４ａにより回転させ反転位置させるように連結すると共に、上記主ロータ２４・主カバー２５・駆動軸２１・回転軸２３等からなる部分の主カバー２５上に上記延長ロータ３１・延長カバー３２・支持板３３等からなる部分を反転格納することできるようにしたことを特徴とする耕耘砕土装置。」
　
（２）当審で通知した取消しの理由で引用した刊行物２（実願平３−３９５９８号（実開平４−１２７１０１号）のマイクロフィルム（甲第２号証））には、次の事項が記載されている。
(2-a).「【請求項１】　トラクタの後部に３点リンク機構を介して耕耘作業機を装着し、トラクタのＰＴＯ軸から、耕耘作業機のギヤボックスから前方に突出した入力軸に動力を伝達するようにし、ギヤボックスから左右両側に延びる伝動系を含む作業装置部分を、機体後方に向け折り畳めるようにした耕耘作業機において、上記折り畳まれる作業装置部分の、耕耘軸のギヤボックス側端部の一方に、サポートシャフトを延長し、このサポートシャフトの外周に耕耘爪を配設したことを特徴とする耕耘作業機。」（実用新案登録請求の範囲）
(2-b).「図３ないし図６において、符号１は図示省略したトラクタの後部に設けられた，トップリンクとロアーリンクとからなる周知の３点リンク機構で、この３点リンク機構１に周知のオートヒッチアーム２を取り付け、オートヒッチアーム２に耕耘作業機（この実施例ではロータリ砕土機）３の連結部４を自動連結して、耕耘作業機３を装着するようにしている。また、トラクタのＰＴＯ軸から、図示省略したユニバーサルジョイント、伝動シャフト等を介して、耕耘作業機３のギヤボックス５から前方に突出した入力軸６に、動力を伝達するようにしている。ギヤボックス５から左右両側に延びる伝動系７，７を含む作業装置（ロータリ砕土装置）部分８，８は、ギヤボックス５の両側部位置から、連繋リンク１１により連繋された状態で、ヒンジ部９，９を中心に人力により機体後方に向け折り畳め、また、広げられるようになっている。作業装置部分８，８には、作業装置部分８を折り畳んだ状態にロックする折り畳みロック金具８ａと、作業装置部分８を広げた作業状態にロックする作業ロック金具８ｂ，８ｂとが設けられている。」（５頁２２行〜６頁６行）
(2-c).「【０００７】　作業装置部分８のギヤボックス５側の端部は、ギヤボックス５の下側を砕土作業するよう延長されいる。その延長部分の対向する側端部には、図１及び図２に示すように、サポートアーム１２，１２に支持された耕耘軸１３，１３の一方のものにサポートシャフト１４を延長させ、このサポートシャフト１４の外周に偏心耕耘爪１５を配設し、シールドカバーの間隙を重合カバー１６で覆い、作業装置部分８を広げたときは両延長端が接近，連続するようになっている。また、作業装置部分８を折り畳んだときは、伝動系７，７が離れて伝動が断たれ、作業装置部分８を広げたときには、伝動系７，７が接続されて伝動状態になる。また、作業装置部分８には、耕耘軸１３に多数の砕土爪１０，１０…を装着した砕土ロータが装備され、作業装置部分８がヒンジ部９を中心とする機体後方へ向け折り畳まれる方向は、トラクタのＰＴＯ軸から耕耘作業機３の入力軸６に動力伝達される入力中心線と、θ度（この実施例では１５度）作業装置部分８が後ろ下がりに、かつ水平線に対し後ろ下がりの状態に折り畳まれるようにしてある。」（６頁７〜２１行）
　
３−３．対比判断
　本件発明と刊行物１に記載された発明とを比較すると、
　刊行物１に記載された発明の「トラクタ１」、「トップリンク１１及びロアリンク１２」、「作業機２」、「主ロータ２４・主カバー２５・駆動軸２１・回転軸２３等からなる部分」、「軸方向両側に連結されている延長ロータ３１・延長カバー３２・支持板３３等からなる部分」、「主カバー２５上に反転格納することできるようになっている」、「ピン３４ａ」、「回転させ反転位置させるように連結する」、「主ロータ２４及び延長ロータ３１」、「主カバー２５及び延長カバー３２」、「作業状態となるように連結したとき」、「耕耘砕土装置」がそれぞれの機能に照らしそれぞれ、
　本件発明の「トラクタ」、「３点リンクヒッチ機構」、「農作業機」、「長さ方向中央部分」、「左右両側に延出している作業機部分」、「中央部分側に折り畳み可能とした」、「回転支点」、「ほぼ１８０°回転可能に連結する」、「各作業部」、「カバー」、「作業状態に展開したとき」、「農作業機」にそれぞれ対応すると認められる。
　また、作業機２の主ロータ２４・主カバー２５・駆動軸２１・回転軸２３等からなる部分が吊り上げて方向転換や一般走行ができるようになっているということは、昇降可能に装着されていると解するのが普通であり、
　ピン３４ａにより回転させ主カバー上に反転格納するということは、
折り畳み可能という意味であることは明らかであるから、
　両者は「トラクタの後部に３点リンクヒッチ機構を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機において、
　上記農作業機を中央部分と左右の作業機部分とに３分割し、該中央部分の左右の端部と左右の作業機部分の内端部とをそれぞれ回転支点によりほぼ１８０°回転可能に連結すると共に、
　上記中央部分の背面と上記左右の作業機部分の背面とが向き合うように折り畳み可能としたことを特徴とする折り畳み農作業機」である点で一致し、
　次の点で相違する。
（Ａ）「左右の作業機部分を作業状態に展開したとき」、
　本件発明では、「中央部分のカバー端部と左右の作業機部分のカバーとが平面視でラップするように構成し」たのに対して、
　刊行物１に記載された発明では、上記構成を備えていない点。
（Ｂ）本件発明は、「中央部分の背面と上記左右の作業機部分の背面とを重ね合わせるようにして折り畳み可能とした」のに対して、
　刊行物１に記載された発明は、中央部分の背面と上記左右の作業機部分の背面とが向き合うように折り畳み可能としたものである点。
　
　上記相違点（Ａ）及び（Ｂ）について検討する。
相違点（Ａ）について
　刊行物２には、作業機部分を作業状態に展開したとき、一方のカバー端部と他方のカバー端部とが平面視でラップするように構成した折り畳み農作業機のカバー継目構造が記載されているから、
　上記刊行物１に記載された発明の中央部分のカバー端部と左右の作業機部分のカバーとの間に上記刊行物２に記載された上記構成を適用して上記相違点（Ａ）の構成とすることは、当業者が容易に想到し得る事項である。
　
相違点（Ｂ）について
　作業機部分を３分割した折り畳み農作業機において、中央部分の左右の端部と左右の作業機部分の内端部とをそれぞれ回転支点によりほぼ１８０°回転可能に連結すると共に、上記中央部分の背面と上記左右の作業機部分の背面とを重ねる合わせるようにして折り畳み可能とした構成は、周知であり（一例として、実公昭４１−２５０１号公報がある。）、
　重ね合わせることを阻害する部材の配置を考慮して、中央部分の背面と左右の作業機部分の背面とを重ね合わせる構成となるような「作業機部分の中央部分」及び「左右の作業機部分」の配置とすることは、単なる設計的事項にすぎないから、
　刊行物１に記載された発明に上記周知技術を適用して上記相違点（Ｂ）に係る構成とすることは、単なる設計的事項程度のことにすぎない。
　
　そして、本件発明の奏する効果は、上記刊行物１及び２に記載された発明並びに周知技術から当業者が容易に予測し得るものであって、格別顕著なものとも認められない。
　
３−４．むすび
　よって、本件発明は、上記刊行物１に記載された発明に基づいて当業者が容易に発明をすることができたものであるから、特許法第２９条２項の規定により特許を受けることができない。
　したがって、本件発明についての特許は、特許法第１１３条第２号に該当し、取り消されるべきものである。
　よって、結論のとおり決定する。
【異議決定日】
平成１５年３月１１日（２００３．３．１１）
【訂正の要旨】
ａ．特許請求の範囲の請求項１を
　「トラクタの後部に３点リンクヒッチ機構を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機において、
　上記農作業機を中央部分と左右の作業機部分とに３分割し、該中央部分の左右の端部と左右の作業機部分の内端部とをそれぞれ回転支点によりほぼ１８０°回転可能に連結すると共に、各作業部の上方をカバーで覆い、上記左右の作業機部分を作業状態に展開したとき、上記中央部分のカバー端部と左右の作業機部分のカバーとが平面視でラップするように構成し
、上記中央部分の背面と上記左右の作業機部分の背面とを重ね合わせるようにして折り畳み可能とし
ｂ．明細書段落０００５を
　「【課題を解決するための手段】
　上記の目的を達成するために本発明は、トラクタの後部に３点リンクヒッチ機構を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機において、上記農作業機を中央部分と左右の作業機部分とに３分割し、該中央部分の左右の端部と左右の作業機部分の内端部とをそれぞれ回転支点によりほぼ１８０°回転可能に連結すると共に、各作業部の上方をカバーで覆い、上記左右の作業機部分を作業状態に展開したとき、上記中央部分のカバー端部と左右の作業機部分のカバーとが平面視でラップするように構成し
、上記中央部分の背面と上記左右の作業機部分の背面とを重ね合わせるようにして折り畳み可能とし
（５４）【発明の名称】
折り畳み農作業機のカバー継目構造
（５７）【特許請求の範囲】
　【請求項１】　トラクタの後部に３点リンクヒッチ機構を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機において、
　上記農作業機を中央部分と左右の作業機部分とに３分割し、該中央部分の左右の端部と左右の作業機部分の内端部とをそれぞれ回転支点によりほぼ１８０°回転可能に連結すると共に、各作業部の上方をカバーで覆い、上記左右の作業機部分を作業状態に展開したとき、上記中央部分のカバー端部と左右の作業機部分のカバーとが平面視でラップするように構成し
、上記中央部分の背面と上記左右の作業機部分の背面とを重ね合わせるようにして折り畳み可能とし
【発明の詳細な説明】
　【０００１】
　【発明の属する技術分野】
　本発明は、中央部分に対し左右両側の作業機部分を中央部分側に折り畳み可能とし、左右の作業機部分を展開した作業状態で、中央部分のカバー端部と左右の作業機部分のカバー端部とがラップするようにした折り畳み農作業機のカバー継目構造に関する。
　【０００２】
　【従来の技術】
　従来、トラクタの後部に３点リンクヒッチ機構を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機が周知である。そして、上記左右の作業機部分を中央部分側に折り畳む関係で、左右の作業機部分を展開した作業状態で、中央部分のカバー端部と左右の作業機部分のカバー端部との間に相互に当接しない程度の間隙が存在している。
　【０００３】
　【発明が解決しようとする課題】
　上記のように左右の作業機部分を展開した作業状態において、中央部分のカバー端部と左右の作業機部分のカバー端部との間に間隙が生じているので、農作業機が作業を行うとき、作業部において耕耘、砕土、代掻などを行った泥土がカバーの間隙から上方に漏れ、飛散することになる。このため、圃場の作業仕上がりが悪くなり、また、農作業機の上面を泥土で汚してしまう、という問題点があった。
　【０００４】
　本発明は、中央部分のカバー端部と左右の作業機部分のカバー端部との間隙を平面視でなくし、作業部からの泥土がカバーの上方に漏れて飛散するのを防止し、圃場の作業仕上がりを良くし、農作業機の上面を泥土で汚すことがないようにした折り畳み農作業機のカバー継目構造を提供することを目的とする。
　【０００５】
　【課題を解決するための手段】
　上記の目的を達成するために本発明は、トラクタの後部に３点リンクヒッチ機構を介して農作業機の長さ方向中央部分を昇降可能に装着し、上記トラクタから農作業機の中央部分に動力を伝達すると共に、上記中央部分に対し、該中央部分から左右両側に延出している作業機部分を、それぞれ中央部分側に折り畳み可能とした農作業機において、上記農作業機を中央部分と左右の作業機部分とに３分割し、該中央部分の左右の端部と左右の作業機部分の内端部とをそれぞれ回転支点によりほぼ１８０°回転可能に連結すると共に、各作業部の上方をカバーで覆い、上記左右の作業機部分を作業状態に展開したとき、上記中央部分のカバー端部と左右の作業機部分のカバーとが平面視でラップするように構成し
、上記中央部分の背面と上記左右の作業機部分の背面とを重ね合わせるようにして折り畳み可能とし
　【０００６】
　【作用】
　上記の構成により本発明の折り畳み農作業機のカバー継目構造は、左右の作業機部分を作業状態に展開したとき、中央部分のカバー端部と左右の作業機部分のカバーとを平面視でラップさせることで、作業部からの泥土がカバー継目から上方に漏れて飛散するの防止する。その結果、圃場の作業仕上がりを良くなり、また、農作業機の上面を泥土で汚さない。
　【０００７】
　【発明の実施の形態】
　以下、本発明の実施の形態を添付の図面を参照して具体的に説明する。図において、符号１は左右方向の長さが長く（この実施例では３７７０ｍｍ）砕土・代掻機能を持つ代掻ハローである。この代掻ハロー１の前部には、図示しないが、トラクタのトップリンクとロアーリンクとからなる周知の３点リンクヒッチ機構に連結される，トラクタへの連結部２が設けられ、代掻ハロー１はトラクタの後部に昇降可能に装着される。また、トラクタのＰＴＯ軸から、ユニバーサルジョイント、伝動シャフト等を介して、代掻ハロー１の前側中央部に設けられた変速ギヤボックス３に、入力軸３ａを介して動力が伝達される。
　【０００８】
　代掻ハロー１は、中央部分４（長さ＝１９００ｍｍ）と左右の作業機部分５Ｌ，５Ｒ（長さ＝各９３０ｍｍ）とに３分割され、中央部分４の左右の端部と左右の作業機部分５Ｌ，５Ｒの内端部とをそれぞれ回転軸（回転支点）６，６によりほぼ１８０°回転可能に連結し、上記中央部分４の背面４ａと左右の作業機部分５Ｌ，５Ｒの背面５Ｌａ，５Ｒａとを重ね合わせるようにして折り畳み可能としている。図面でも示すように、中央部分４の長さに対し左右の作業機部分５Ｌ，５Ｒの長さをほぼ２分の１としている。作業機部分５Ｌ，５Ｒは左右対称であり、同じ構成であるので一方の作業機部分５Ｌについて説明する。
　【０００９】
　上記ギヤボックス３から左右両側に、本体フレームを兼ね、伝動シャフト７，７ａを内装した伝動フレーム８，８ａが設けられている。この伝動フレーム８，８ａから、中央部分４においてはトラクタのタイヤＴの後方に位置して、また、作業機部分５Ｌ，５Ｒにおいては外側端に位置して、それぞれチェン伝動ケース９を垂設している。これら各チェン伝動ケース９の下端部と伝動フレーム８，８ａからチェン伝動ケース９と対向して垂設した支持フレーム１０の下端部との間にロータリ軸１１が軸架されている。ロータリ軸１１の軸周には多数の砕土・代掻爪１２が取付けられて砕土・代掻ロ−タ１３を構成している。
　【００１０】
　上記伝動シャフト７と７ａの軸端が対向する部分にはドッグクラッチ１４が設けられていて、図１に示す代掻ハロー１全体が作業状態のときはドッグクラッチ１４が接続され、左右の作業機部分５Ｌ，５Ｒを回転軸６を中心に回動して中央部分４上に折り畳むときにドッグクラッチ１４が切断される。砕土・代掻ロ−タ１３の上方は、本体フレームに支持されたシールドカバー１５により覆われており、このシールドカバー１５の後端部に、後端位置にレベラー（均平板）１７を枢支したエプロン１６の上端部が上下方向に回動自在に枢着されている。レベラー１７の折り畳み対向部分は、上記回転軸６の軸心とほぼ等しい軸心で回動するヒンジ１８により連結されている。また、レベラー１７は、土壌を均平する均平位置と土壌を掻き寄せる土寄せ位置とに変位可能である。
　【００１１】
　上記作業機部分５Ｌの折り畳み回動部分にはガイド溝１９ａを有するガイド板１９が固設され、このガイド板１９の上側に、一端に上記ガイド溝１９ａに嵌挿されるガイドピン２０ａを有し、他端を中央部分４側に軸２０ｂにより左右方向に回転可能に軸支され、く字状に屈曲した回転アーム２０を設け、この回転アーム２０の中間部と伝動フレーム８との間に油圧シリンダ２１を介装し、この油圧シリンダ２１の伸縮作動により作業機部分５Ｌを作業位置と折り畳み位置とに回動させる。作業機部分５Ｌを作業位置にしたときにはロック装置２２によりロックされる。
　【００１２】
　上記左右の作業機部分５Ｌ，５Ｒを中央部分４上に折り畳んだとき、中央部分４の左右両端の支持フレーム１０位置には、車輪付スタンド２３が着脱可能に設けられている。また、上記各チェン伝動ケース９の下部前側には、残耕（畦際）処理装置が設けられている。
　【００１３】
　上記シールドカバー１５及びエプロン１６は中央部分４の作業部を覆い、左右の作業機部分５Ｌ，５Ｒの作業部はシールドカバー１５Ｌ，１５Ｒ及びエプロン１６Ｌ，１６Ｒにより覆われている。そして、上記中央部分４のシールドカバー１５及びエプロン１６の左右端部と対向するシールドカバー１５Ｌ，１５Ｒの内端部には側方突起４が形成され、左右の作業機部分５Ｌ，５Ｒを作業状態に展開したとき平面視でＷだけラップするようにしている。また、エプロン１６，１６Ｌ，１６Ｒにおいては、エプロン１６の両端部に側方突起２６を形成し、エプロン１６Ｌ，１６Ｒの内端部にも側方突起２７を形成して、左右の作業機部分５Ｌ，５Ｒを作業状態に展開したとき両側方突起２６，２７が平面視でＷだけラップするようにしている。
　【００１４】
　上記のようにシールドカバー１５，１５Ｌ，１５Ｒ及びエプロン１６，１６Ｌ，１６Ｒにおいては、左右の作業機部分５Ｌ，５Ｒを作業状態に展開したとき、共に平面視でＷだけラップしているので、砕土・代掻ロ−タ１３が砕土・代掻作業を行っているとき、シールドカバー１５とシールドカバー１５Ｌ，１５Ｒとの間、及びエプロン１６とエプロン１６Ｌ，１６Ｒとの間から泥土がシールドカバー１５，１５Ｌ，１５Ｒ及びエプロン１６，１６Ｌ，１６Ｒの上方に漏れ出すことがない。従って、圃場の作業仕上りが良くなり、また、代掻ハロー１の上面を泥土で汚すことがない。
　【００１５】
　【発明の効果】
　以上説明したように本発明の折り畳み農作業機のカバー継目構造によれば、農作業機を中央部分と左右の作業機部分とに３分割し、該中央部分の左右の端部と左右の作業機部分の内端部とをそれぞれ回転支点によりほぼ１８０°回転可能に連結すると共に、各作業部の上方をカバーで覆い、上記左右の作業機部分を作業状態に展開したとき、上記中央部分のカバー端部と左右の作業機部分のカバーとが平面視でラップするように構成したので、作業部からの泥土がカバーの継目から上方に漏れて飛散するの防止することができる。その結果、圃場の作業仕上がりを良くなり、また、農作業機の上面を泥土で汚すことがない。
【図面の簡単な説明】
　【図１】
　本発明による折り畳み式代掻ハロー全体の概略背面図である。
　【図２】
　図１のＡ方向からの概略側面図である。
　【図３】
　代掻ハローを折り畳んだ状態の概略側面図である。
　【図４】
　図３のＢ方向からの概略平面図である。
　【図５】
　本発明による代掻ハローの部分平面図である。
　【図６】
　代掻ハローを折り畳んだ状態の側面図である。
　【図７】
　代掻ハローの部分平面図である。
　【図８】
　折り畳み機構の部分平面図である。
　【図９】
　折り畳んだ状態の部分平面図である。
　【図１０】
　（ａ）はシールドカバーの断面図、（ｂ）は図（ａ）のＰ矢視側面図である。
　【図１１】
　（ａ）はエプロンの断面図、（ｂ）は図（ａ）のＱ矢視側面図である。
　【符号の説明】
　１　代掻ハロー
　２　トラクタへの連結部
　３　変速ギヤボックス　３ａ　入力軸
　４　代掻ハローの中央部分　４ａ　中央部分の背面
　５Ｌ　左作業機部分　５Ｒ　右作業機部分
　５Ｌａ　左作業機部分の背面　５Ｒａ　右作業機部分の背面
　６　回転軸（回転支点）
　７，７ａ　伝動シャフト
　８　伝動フレーム
　９　チェン伝動ケース
　１０　支持フレーム
　１１　ロータリ軸
　１２　砕土・代掻爪
　１３　砕土・代掻ロ−タ
　１４　ドッグクラッチ
　１５　シールドカバー
　１６　エプロン
　１７　レベラー
　１８　ヒンジ
　１９　ガイド板　１９ａ　ガイド溝
　２０　回転アーム　２０ａ　ガイドピン　２０ｂ　軸
　２１　油圧シリンダ
　２２　ロック装置
　２３　車輪付スタンド
　２４　作業機部分のシールドカバーからの側方突起
　２５　シールドカバーの側板
　２６　中央部分のエプロンからの側方突起
　２７　作業機部分のエプロンからの側方突起
　Ｔ　トラクタのタイヤ
　Ｗ　カバーの平面視ラップ部分